(57)【要約】【課題】停止装置を有する注射器を提供する。【解決手段】シリンダ２、プランジャ４、３つの逆止ユニット５、逆止ユニット６、及び逆止ユニット７を備える。シリンダ２はシリンダ本体２１及びシリンダ本体２１に結合される注射針の基部２２、フランジ部２３、フランジ部２４、及びフランジ部２５を含む。プランジャ４は、推し出し端４１、推し出し端４１の近傍に位置するプランジャ本体４２、プランジャ本体４２の反対側の推し出し端４１から延設される係止部４３、及び係止部４３の反対側の推し出し端４１から延設される頂端部４４を備える。逆止ユニット５、逆止ユニット６、及び逆止ユニット７は、プランジャ４の推し出し端４１から離れる順に形成されている。【選択図】図２
2014000389.tif 000002
【特許請求の範囲】
【請求項１】
フランジ部を有するシリンダと、
前記シリンダ内を第一方向に往復移動可能なプランジャと、
前記プランジャから前記第一方向と直交する方向である第二方向に突出し前記フランジに当接可能な頂端当接部、及び、前記プランジャから前記第二方向に突出し前記頂端当接部と所定間隔を有する可撓性のストッパにより構成され、前記可撓性のストッパの外径が前記頂端当接部の外径より大きい逆止ユニットと、を備え、
前記プランジャが、前記シリンダに対して前記第一方向の一方に向いて移動し、前記フランジ部が前記第一方向の他方に前記可撓性のストッパを傾斜させると、前記頂端当接部及び前記可撓性のストッパが前記フランジ部を通過し、
前記プランジャが、前記シリンダに対して前記第一方向の他方に向いて移動すると、前記フランジ部は、前記可撓性のストッパを係止することを特徴とする注射器。
【請求項２】
前記シリンダは、シリンダ本体、及び、前記シリンダ本体に結合されている注射針の基部を有し、
前記フランジ部は、前記シリンダ本体の内壁に形成されており、
前記プランジャは、プランジャ本体、及び、前記プランジャ本体から延設され前記注射針の基部に収容可能である係止部を有し、
前記頂端当接部及び前記可撓性のストッパは前記プランジャ本体から前記第二方向に延設されており、
前記プランジャが前記シリンダに対して前記第一方向に移動すると、前記フランジ部は、前記プランジャの移動方向とは反対側に前記可撓性のストッパを傾斜させ、前記頂端当接部が前記可撓性のストッパにより係止されることを特徴とする請求項１に記載の注射器。
【請求項３】
前記シリンダは、シリンダ本体及び前記シリンダ本体に結合されている注射針の基部を有し、
前記注射針の基部は、針側端部を有し、
前記フランジ部は、前記注射針の基部の内壁に形成されており、
前記プランジャは、プランジャ本体、前記プランジャ本体から延設され前記注射針の基部に収容可能な係止部、及び、前記係止部から延設され前記針側端部に収容可能な頂端部により構成され、
前記頂端当接部及び前記可撓性のストッパは、前記係止部から延設されており、
前記プランジャが前記シリンダに対して前記第一方向に移動すると、前記フランジ部は、前記プランジャの移動方向とは反対側に前記可撓性のストッパを傾斜させ、前記頂端当接部は前記可撓性のストッパにより係止されることを特徴とする請求項１に記載の注射器。
【請求項４】
前記シリンダは、シリンダ本体及び前記シリンダ本体に結合されている注射針の基部を有し、
前記注射針の基部は、針側端部を有し、
前記フランジ部は、前記針側端部の内壁に形成されており、
前記プランジャは、プランジャ本体、前記プランジャ本体から延設され前記注射針の基部に収容可能な係止部、及び、前記係止部から延設され前記針側端部に収容可能な頂端部により構成され、
前記頂端当接部及び前記可撓性のストッパは、前記頂端部から延設されており、
前記プランジャが前記シリンダに対して前記第一方向に移動すると、前記フランジ部は、前記プランジャの移動方向とは反対側に前記可撓性のストッパを傾斜させ、前記頂端当接部は前記可撓性のストッパにより係止されることを特徴とする請求項１に記載の注射器。
【請求項５】
三つの前記逆止ユニットを備え、
前記シリンダは、シリンダ本体、前記シリンダ本体に結合され針側端部を有する注射針の基部、及び、三つの前記フランジ部を有し、
三つの前記フランジは、それぞれ前記シリンダ本体、前記注射針の基部、及び、前記針側端部の内壁に形成されており、
前記プランジャは、プランジャ本体、前記プランジャ本体から延設され前記注射針の基部に収容可能な係止部、及び前記係止部から延設され前記針側端部に収容可能な頂端部を有し、
三つの前記逆止ユニットの前記頂端当接部及び前記可撓性のストッパは、それぞれ前記プランジャ本体部、前記係止部、及び前記頂端部から延設され、
前記プランジャが、前記シリンダに対して前記第一方向に移動すると、三つの前記フランジ部は、前記プランジャの移動方向とは反対側に対応する前記可撓性のストッパを傾斜させ、対応する前記頂端当接部が前記可撓性のストッパにより係止されることを特徴とする請求項１に記載の注射器。
【請求項６】
前記シリンダの前記フランジは、前記シリンダの内壁の周方向に設けられ、
前記プランジャは、の外径が前記シリンダの内径より小さく形成されており、
前記頂端当接部は、外径が前記フランジ部の内径と同じであることを特徴とする請求項１に記載の注射器。
【請求項７】
前記可撓性のストッパは、環状であることを特徴とする請求項１に記載の注射器。
【請求項８】
前記可撓性のストッパは、縁端に複数の凹部及び歯部が周方向に交互に形成されていることを特徴とする請求項７に記載の注射器。
【請求項９】
前記可撓性のストッパは、所定硬度を有し、湾曲している弧状弾性片であることを特徴とする請求項１に記載の注射器。
【請求項１０】
シリンダ本体及び前記シリンダ本体に結合されている注射針の基部からなり、前記注射針の基部の内壁の中間位置にフランジ部が形成されているシリンダと、
プランジャ本体、前記プランジャ本体から延設され前記注射針の基部に収容可能な係止部、及び、中空であり前記係止部を被覆し前記注射針の基部内に収容されているコルク製のキャップを有するプランジャと、を備え、
前記係止部は、環状溝及び前記環状溝から水平に延設されている可撓性のストッパを有し、
前記フランジ部は、内径が前記可撓性のストッパの外径より大きく形成されており、
前記キャップは、縁端の厚さが前記フランジ部の内径と前記可撓性のストッパの外径との差より薄く形成されており、
前記キャップの縁端は、前記フランジ部により前記環状溝内に突出している突起部を有し、
前記突起部は、内径が前記可撓性のストッパの外径より小さく形成されており、
前記環状溝は、前記可撓性のストッパの前記キャップとは反対側に前記プランジャの移動方向に対して傾斜している斜面部が形成されており、前記可撓性のストッパの前記キャップ側に前記プランジャの移動方向に直交する平面部が形成されており、
前記キャップは、前記係止部と共に前記注射針の基部内に収容されており、
前記可撓性のストッパに対して前記突起部が前記平面部側から前記斜面部側に移動するとき、前記可撓性のストッパが前記斜面部側に変形することにより、前記突起部は、前記可撓性のストッパを越え、前記可撓性のストッパと前記斜面部との間に位置し、
前記可撓性のストッパに対して前記突起部が前記斜面部側から前記平面部側に移動するとき、前記平面部により前記可撓性のストッパの変形が抑制され、前記突起部は、前記可撓性のストッパに係止され、前記係止部と前記注射針の基部とが共に移動することを特徴とする注射器。
【請求項１１】
貫通孔が形成されているシリンダ前端を有し、前記貫通孔の一端には複数のありつぎ溝が周方向に等間隔に形成されており、前記ありつぎ溝が前記貫通孔の一端から軸方向に形成されており、前記貫通孔の他端にフック部が形成されており、前記フック部が前記貫通孔の他端側向いてに延設されており、前記ありつぎ溝に嵌合可能なありつぎ部が前記フック部の末端に形成されているシリンダ本体と、
断面が矩形であり、圧縮性を有し、前記シリンダ本体内に設けられており、前記貫通孔の一端の底部に位置する環状部材と、
前記シリンダ本体の前記貫通孔の一端に設けられ、台座部及び針側端部を有し、前記台座部の外壁に第一環状部及び第二環状部が形成されており、前記第一環状部と第二環状部との間に環状溝が形成されており、前記第一環状部が前記環状部材に当接されており、前記フック部が前記シリンダ本体の軸方向と直交する方向に位置し前記環状溝に入ることにより前記第一環状部の前記第二環状部側への移動が係止され、は前記フック部の前記ありつぎ部が前記ありつぎ溝に嵌合することにより前記第二環状部の前記第一環状部側への移動が許容され、前記第二環状部の前記第一環状部とは反対側に前記シリンダ本体の内壁に当接するシール部材が設けられており、前記針側端部が前記貫通孔から突出している注射針の基部と、
プランジャ本体、前記プランジャ本体から延設されており前記注射針の基部に収容されている係止部、及び、中空であり係止部を被覆し前記注射針の基部内に収容されているコルク製のキャップを有するプランジャと、を備えることを特徴とする注射器。  
【発明の詳細な説明】
【技術分野】
【０００１】
本発明は、注射器に関する。
【背景技術】
【０００２】
特許文献１に記載の注射器は、図１に示すように、シリンダ１１、注射針の基部１２、及びプランジャ１３で構成される。プランジャ１３はピストンヘッド１３１及びカードエッジ１３３を有し、シリンダ１１はフランジ１６及び一対の位置決め座１１１からなる。位置決め座１１１は係止溝１１２を有し、注射針の基部１２の前端部には注射針１４を取り付ける嵌合段１２１が設けられており、注射針の基部１２のシリンダ後端には弾性を有するフック部１２２を有し、注射針の基部１２の前端部には複数の係止ブロック１２３が設けられている。注射針の基部１２がシリンダ１１内に収容されると、係止ブロック１２３がシリンダ１１の位置決め座１１１の係止溝１１２に係止される。ピストンヘッド１３１にはピストン板１５が設けられ、ピストンヘッド１３１の前端部には環状フランジ１３２が設けられている。薬液の注射が完了した後、ピストンヘッド１３１は、注射針の基部１２に収容され、ピストンヘッド１３１の環状フランジ１３２が注射針の基部１２のフック部１２２に係合され、ピストンヘッド１３１と注射針の基部１２とが一体に結合される。ピストンヘッド１３１は、注射針台座１２の係止ブロック１２３をシリンダー１１の位置決め座１１１の係止溝１１２から外す。プランジャ１３のピストンヘッド１３１を後退させると、注射針台座１２と注射針１４とが連動することにより、注射針の基部１２及び注射針１４がシリンダ１１内に収容される。
【先行技術文献】
【特許文献】
【０００３】
【特許文献１】台湾実用新案出願公開第Ｍ３６００４９号明細書
【発明の概要】
【発明が解決しようとする課題】
【０００４】
特許文献１に記載の発明では、ピストン板１５、カードエッジ１３３、及びフランジ１６により、プランジャ１３がシリンダ１１から離脱することを抑制する。
【０００５】
しかしながら、特許文献１に記載の発明では、カードエッジ１３３とフランジ１６との結合が緩すぎる場合、注射針１４がシリンダ１１から突出するおそれがある。逆に、カードエッジ１３３とフランジ１６との結合がきつすぎる場合、シリンダ１１にプランジャ１３を収容する場合、シリンダ１１とプランジャ１３とが相対移動しにくくなるおそれがある。
【０００６】
そこで、本発明者は上記の問題が改善可能と考え、鋭意検討を重ねた結果、合理かつ効果的に課題を改善する本発明を提案した。
【０００７】
本発明は、上述の問題に鑑みてなされたものである。本発明は、停止装置を有する注射器を提供することを目的とする。
【課題を解決するための手段】
【０００８】
本発明は、フランジ部を有するシリンダ、シリンダ内を第一方向に往復移動可能なプランジャ、および、逆止ユニットを備える。
逆止ユニットは、プランジャから第一方向と直交する方向である第二方向に突出しフランジに当接可能な頂端当接部、及び、プランジャから第二方向に突出し頂端当接部と所定間隔を有する可撓性のストッパにより構成される。可撓性のストッパは、外径が頂端当接部の外径より大きく形成されている。
プランジャが、シリンダに対して第一方向の一方に向いて移動し、フランジ部が第一方向の他方に可撓性のストッパを傾斜させると、頂端当接部及び可撓性のストッパがフランジ部を通過する。
また、プランジャが、シリンダに対して第一方向の他方に向いて移動すると、フランジ部は、可撓性のストッパを係止する。
【０００９】
本発明では、逆止ユニットがシリンダから外れる過程に於いてシリンダのフランジ部に当接し、頂端当接部が可撓性のストッパの傾斜を抑制し、逆止効果を有する。
【図面の簡単な説明】
【００１０】
【図１】従来の注射器を示す断面図である。
【図２】本発明の第一実施形態による注射器を示す断面図である。
【図３】本発明の第一実施形態による注射器の逆止ユニットを示す断面図である。
【図４】本発明の第一実施形態による注射器を示す断面図である。
【図５】本発明の第一実施形態による注射器の逆止ユニットを示す断面図である。
【図６】本発明の第一実施形態による注射器を示す断面図である。
【図７】本発明の第一実施形態による注射器の可撓性のストッパを示す模式図である。
【図８】本発明の第二実施形態による注射器の可撓性のストッパを示す模式図である。
【図９】本発明の第三実施形態による注射器を示す模式図である。
【図１０】本発明の第三実施形態による注射器を示す模式図である。
【図１１】本発明の第四実施形態による注射器を示す断面図である。
【図１２】本発明の第四実施形態による注射器を示す断面図である。
【図１３】本発明の第四実施形態による注射器を示す断面図である。
【図１４】本発明の第四実施形態による注射器を示す断面図である。
【発明を実施するための形態】
【００１１】
以下、図面を参照して本発明の実施形態について、詳細に説明する。なお、本発明は、以下の実施形態に限定されるものではない。
【００１２】
（第一実施形態）
まず、図２〜７に基づいて、本発明の第一実施形態による注射器について説明する。
図２〜図３に示すように、本実施形態の注射器は、シリンダ２、プランジャ４、３つの逆止ユニット５、逆止ユニット６、及び逆止ユニット７を備える。ここで、シリンダ２とプランジャ４との相対移動方向において、プランジャ４がシリンダ２に入る方向を「前」とし、プランジャ４がシリンダ２から出る方向を「後」とする。また、シリンダ２とプランジャ４との相対移動方向は特許請求の範囲における「第一方向」に対応し、「前」は特許請求の範囲における「第一方向の一方」に対応し、「後」は特許請求の範囲における「第一方向の他方」に対応する。シリンダ２はシリンダ本体２１及びシリンダ本体２１に結合される注射針の基部２２、フランジ部２３、フランジ部２４、及びフランジ部２５を含む。シリンダ本体２１は、シリンダ前端２１１、シリンダ前端２１１の反対側に位置するシリンダ後端２１２、シリンダ前端２１１に形成されると共に注射針の基部２２の位置を決める位置決め座２１３、シリンダ本体２１の内壁に形成されると共にシリンダ前端２１１に向いて延設されるフック部２１４、及びフック部２１４を収容凹部２１５で構成される。フック部２１４は、環状であり、拡張性のある弾性回復力を有し、注射針の基部２２に当接するのに用いられる。注射針の基部２２は、台座部２２１及び台座部２２１から延設されると共に注射針３に結合される針側端部２２２を備える。フランジ部２３、フランジ部２４、及びフランジ部２５は、シリンダ本体２１のシリンダ後端２１２の近傍の内壁、台座部２２１の内壁、及び針側端部２２２の内壁にそれぞれ周方向に形成されている。
【００１３】
プランジャ４は、推し出し端４１、推し出し端４１の近傍に位置するプランジャ本体４２、プランジャ本体４２の反対側の推し出し端４１から延設される係止部４３、及び係止部４３の反対側の推し出し端４１から延設される頂端部４４を備える。プランジャ本体４２は、プランジャ本体４２のシリンダ前端に形成される環状フランジ部４２１、及び環状フランジ部４２１と所定間隔を有し環状フランジ部４２１に対し推し出し端４１の近傍に位置するピストン台座４２２で構成される。ピストン台座４２２は、漏れ防止用のピストン板８に結合されている。係止部４３は、注射針の基部２２の台座部２２１に収容されている。頂端部４４は、注射針の基部２２の針側端部２２２に収容されている。
【００１４】
逆止ユニット５、逆止ユニット６、及び逆止ユニット７は、プランジャ４の推し出し端４１から離れる順に形成されている。逆止ユニット５は、頂端当接部５１、頂端当接部５１の推し出し端４１側に位置し環状を呈する可撓性のストッパ５２を有する。逆止ユニット６は、頂端当接部６１、頂端当接部６１の推し出し端４１側に位置し環状を呈する可撓性のストッパ６２を有する。逆止ユニット７は、頂端当接部７１、頂端当接部７１の推し出し端４１側に位置し環状を呈する可撓性のストッパ７２を有する。逆止ユニット５の頂端当接部５１、逆止ユニット６の頂端当接部６１、及び逆止ユニット７の頂端当接部７１は、それぞれプランジャ本体４２、係止部４３、及び頂端部４４から径方向外側に向いて延設されている。ここで、径方向は特許請求の範囲における「第二方向」に対応する。逆止ユニット５の可撓性のストッパ５２、逆止ユニット６の可撓性のストッパ６２、及び逆止ユニット７の可撓性のストッパ７２は、それぞれ、プランジャ本体４２、係止部４３、及び頂端部４４から径方向外側に向いて延設されている。頂端当接部５１と頂端当接部６１と頂端当接部７１との間には所定間隔を有する。
【００１５】
プランジャ４は、外径がシリンダ２の内径より小さく形成されており、シリンダ本体２１は、内径が可撓性のストッパ５２、可撓性のストッパ６２、及び可撓性のストッパ７２の外径より大きく形成されている。可撓性のストッパ５２、可撓性のストッパ６２、及び可撓性のストッパ７２は、外径が頂端当接部５１、頂端当接部６１、及び頂端当接部７１の外径より大きく形成されている。頂端当接部５１、頂端当接部６１、及び頂端当接部７１は、外径がフランジ部２３、フランジ部２４、及びフランジ部２５の内径と同じであるよう形成されている。これにより、プランジャ４がシリンダ２に対し正方向Ｉに推移し、頂端当接部５１及び可撓性のストッパ５２がフランジ部２３を通過するとき、頂端当接部５１がフランジ部２３に当接し可撓性のストッパ５２がフランジ部２３に当接すると、可撓性のストッパ５２がフランジ部２３により負方向ＩＩに傾斜することでフランジ部２３を通過する。可撓性のストッパ５２は弾性回復力を有するため、可撓性のストッパ５２がフランジ部２３を通過した後に元の形に回復する。
【００１６】
図２、図４、及び図５に示すように、薬液注射が完了後、継続してプランジャ４の推し出し端４１を正方向Ｉに推移させると、プランジャ本体４２の環状フランジ部４２１によりフック部２１４が拡張し凹部２１５内に収容され、係止部４３が注射針の基部２２の台座部２２１に収容され、頂端部４４が注射針の基部２２の針側端部２２２に収容される。頂端当接部６１および可撓性のストッパ６２がフランジ部２４を通過するとき、係止部４３の逆止ユニット６に形成される頂端当接部６１は台座部２２１の内壁に形成されるフランジ部２４に当接し、可撓性のストッパ６２が負方向ＩＩに傾斜することで可撓性のストッパ６２がフランジ部２４を通過する。頂端当接部７１及び可撓性のストッパ７２がフランジ部２５を通過するとき、頂端部４４の逆止ユニット７に形成される頂端当接部７１は針側端部２２２の内壁に形成されるフランジ部２５に当接し、可撓性のストッパ７２が負方向ＩＩに傾斜することで可撓性のストッパ７２がフランジ部２５を通過する。可撓性のストッパ６２及び可撓性のストッパ７２は弾性回復力を有するため、可撓性のストッパ６２及び可撓性のストッパ７２は、フランジ部２４及びフランジ部２５を通過した後、元の形に回復する。頂端当接部５１、頂端当接部６１、及び頂端当接部７１は剛性の非可撓性を有し、可撓性のストッパ５２、可撓性のストッパ６２、及び可撓性のストッパ７２は可変動弁であり、プランジャ４がシリンダ２に対し正方向Ｉに移動する場合、可撓性のストッパ５２、可撓性のストッパ６２、及び可撓性のストッパ７２は傾斜し、フランジ部２３、フランジ部２４、及びフランジ部２５を通過する。
【００１７】
これにより、ユーザープランジャ４を引きシリンダ２に対し負方向ＩＩにプランジャ４を推移させると、フランジ部２４及びフランジ部２５は逆止ユニット６及び逆止ユニット７の可撓性のストッパ６２及び可撓性のストッパ７２に当接し、可撓性のストッパ６２及び可撓性のストッパ７２が正方向Ｉに傾斜する。頂端当接部６１及び頂端当接部７１は、それぞれ可撓性のストッパ６２及び可撓性のストッパ７２を係止し、逆止効果を有する。よって、注射針の基部２２をプランジャ４に結合することができ、注射針の基部２２及び注射針３をプランジャ４と共にシリンダ本体２１内に収容することができる。
【００１８】
図２、図５及び図６の図面に示すように、プランジャ４が継続して負方向ＩＩに移動しシリンダ２まで移動すると、シリンダ本体２１の内壁に形成されるフランジ部２３がプランジャ本体４２に形成される可撓性のストッパ５２に当接し、頂端当接部５１が可撓性のストッパ５２を係止することで、逆止効果を有する。注射針の基部２２がプランジャ４に結合し、注射針３がシリンダ本体２１に収容される。可撓性のストッパ５２、可撓性のストッパ６２、及び可撓性のストッパ７２が正方向Ｉに向いて傾斜する場合、頂端当接部５１、頂端当接部６１、及び頂端当接部７１が、可撓性のストッパ５２、可撓性のストッパ６２、及び可撓性のストッパ７２を係止し、撓性のストッパ５２、可撓性のストッパ６２、及び可撓性のストッパ７２がフランジ部２３、フランジ部２４、及びフランジ部２５を通過しないようにする。頂端当接部５１、頂端当接部６１、及び頂端当接部７１の所定の角度、ならびに、可撓性のストッパ５２、可撓性のストッパ６２、及び可撓性のストッパ７２と頂端当接部５１、頂端当接部６１、及び頂端当接部７１との間隙により、可撓性のストッパ５２、可撓性のストッパ６２、及び可撓性のストッパ７２の正方向Ｉ側の傾斜角度が負方向１１側の傾斜角度より小さい。
【００１９】
この好ましい実施形態では、注射器は、逆止ユニット５、逆止ユニット６、逆止ユニット７を有し、プランジャ本体４２、係止部４３、或いは頂端部４４の内の何れか２箇所にそれぞれ形成される逆止ユニット５、逆止ユニット６、及び逆止ユニット７を含むか、またはプランジャ本体４２、係止部４３、或いは頂端部４４の内の何れか１箇所に形成される逆止ユニット５、逆止ユニット６、及び逆止ユニット７のみを含むことで逆止効果を達成することができる。
【００２０】
シリンダ本体２１と注射針の基部２２とは堅固に結合される方式で注射針の基部２２に当接されるフック部２１４を有するが、これに限られず、一般的な係合構造による結合を用いてもよく、これらの技術分野に通常知識を有する者ならば容易に変更することが可能である。
【００２１】
上述した通りに、本実施形態の注射器は以下の効果及び長所を有する。
一、フランジ部２３、フランジ部２４、及びフランジ部２５は、それぞれ逆止ユニット５の可撓性のストッパ５２、逆止ユニット６の可撓性のストッパ６２、及び逆止ユニット７の可撓性のストッパ７２に当接し、可撓性のストッパ５２、可撓性のストッパ６２、および可撓性のストッパ７２が正方向Ｉに傾斜すると、頂端当接部５１、頂端当接部６１、及び頂端当接部７１は、それぞれ可撓性のストッパ５２、可撓性のストッパ６２、及び可撓性のストッパ７２を係止る逆止効果を有する。
二、逆止ユニット５、逆止ユニット６、及び逆止ユニット７は、プランジャ本体４２、係止部４３、及び頂端部４４の内の何れか１箇所に形成されることで異なる逆止効果を得ることができる。
【００２２】
（第二実施形態）
次は、本発明の第二実施形態による注射器について説明する。
本発明の第二実施形態の構成を図８に示す。本実施形態は、第一実施形態の可撓性のストッパ５２、可撓性のストッパ６２、及び可撓性のストッパ７２の他の構造型態であり、第一実施形態の可撓性のストッパ５２と本実施形態の可撓性のストッパ５２Ａとの差異は、可撓性のストッパ５２Ａの縁端に複数の凹部５２１Ａと歯部５２２Ａ間が周方向に等間隔に形成されていることである。これにより第一実施形態の可撓性のストッパ５２と同じく逆止効果を得ることができる。第一実施形態の可撓性のストッパ６２及び可撓性のストッパ７２もこの構造に変更可能である。
【００２３】
（第三実施形態）
次は、本発明の第三実施形態による注射器について説明する。
本発明の第三実施形態の構成を図９から図１０に示す。本実施形態は、第一実施形態の可撓性のストッパ５２、可撓性のストッパ６２、及び可撓性のストッパ７２の他の構造型態であり、第一実施形態の可撓性のストッパ５２と本実施形態の可撓性のストッパ５２Ｂとの差異は、可撓性のストッパ５２Ｂは、硬度を有し湾曲している弧状弾性片であり、プランジャ４がシリンダ２に対して正方向Ｉに移動すると（図９に示すように）可撓性のストッパ５２Ｂが湾曲しながらシリンダ２へ進入する。プランジャ４がシリンダ２に対して負方向ＩＩに移動すると、可撓性のストッパ５２Ｂは、フランジ部２１により係止される（図１０に示すように）。本実施形態は上記実施形態と同様に逆止効果を有する。
【００２４】
（第四実施形態）
更に、本発明の第四実施形態による注射器について説明する。
本発明の第四実施形態の構成を図１１から図１４に示す。図１１に示すように、シリンダ２Ａ及びプランジャ４Ａを備え、シリンダ２Ａはシリンダ本体２１Ａ及びシリンダ本体２１Ａに結合される注射針の基部２２Ａからなり、シリンダ本体２１Ａのシリンダ前端２１１Ａには貫通孔２１２Ａを有する。注射針の基部２２Ａの内壁の中間位置にはフランジ部２４Ａが形成されている。
【００２５】
本実施形態では、プランジャ４Ａはプランジャ本体４２Ａ、プランジャ本体４２Ａから延設され注射針の基部２２Ａに収容可能な係止部４３Ａ、及び中空であり係止部４３Ａを被覆し注射針の基部２２Ａ内に収容されているコルク製のキャップ４５Ａを有する。係止部４３Ａは、環状溝４３１Ａ及び環状溝４３１Ａから水平に延設されている可撓性のストッパ４３２Ａを有する。フランジ部２４Ａは、内径が可撓性のストッパ４３２Ａの外径より大きく形成されている。コルク製のキャップ４５Ａは、縁端４５１Ａの厚さがフランジ部２４Ａの内径と可撓性のストッパ４３２Ａの外径との差より薄く形成されている。コルク製のキャップ４５Ａの縁端４５１Ａは、フランジ部２４ Ａにより環状溝４３１Ａ内に突出している突起部Ｔを有し、突起部Ｔは、内径が可撓性のストッパ４３２Ａの外径より小さく形成されている。環状溝４３１Ａは、可撓性のストッパ４３２Ａの後側に斜面部４３３Ａが形成されており、可撓性のストッパ４３２Ａの正方向Ｉ側に平面部４３４Ａが形成されている。
【００２６】
シリンダ本体２１Ａ内の貫通孔２１２Ａの一端には複数のありつぎ溝２１７Ａが等間隔に形成されている。ありつぎ溝２１７Ａは、シリンダ本体２１Ａの貫通孔２１２Ａの一端から軸方向に形成されている。ありつぎ溝２１７Ａの負方向ＩＩ側にはフック部２１４Ａが形成されている。フック部２１４Ａは、貫通孔２１２Ａ側に延設されると共にシリンダ本体２１Ａの径方向内側に向いて斜めに形成されている。フック部２１４Ａの末端には、ありつぎ溝２１７Ａ内に嵌合可能なありつぎ部２１６Ａが形成されている。
【００２７】
本実施形態ではリング２６Ａを有し、リング２６Ａは、圧縮性を有し、断面が方形を呈し、しシリンダ本体２１Ａ内に設けられていると共に貫通孔２１２Ａの一端の底部に位置する。本実施形態の注射針の基部２２Ａは、シリンダ本体２１Ａの貫通孔２１２Ａの一端に設置されていると共に台座部２２１Ａ及び針側端部２２２Ａを有する。台座部２２１Ａは、縁端に第一環状部２２４Ａ及び第二環状部２２５Ａが形成されている。環状溝２２６Ａは、第一環状部２２４Ａと第二環状部２２５Ａとの間に形成されている。第一環状部２２４Ａは環状部材２６Ａに当接する。フック部２１４Ａは、シリンダ本体２１Ａの内壁に対して直立している場合、環状溝２２６Ａ内に入り、第一環状部２２４Ａの第二環状部２２５Ａ側への移動を係止する。また、フック部２１４Ａは、ありつぎ部２１６Ａがありつぎ溝２１７Ａに嵌合される場合、第二環状部２２５Ａの第一環状部２２４Ａ側への移動が許容される。第二環状部２２５Ａの第一環状部２２４Ａとの反対側にはシリンダ本体２１Ａの内壁に当接するシール部材２２３Ａが設けられている。針側端部２２２Ａは貫通孔２１２Ａから突出している。
【００２８】
図１２に示すように、コルク製のキャップ４５Ａは、係止部４３Ａと共に注射針の基部２２Ａ内に設けられている。可撓性のストッパ４３２Ａが突起部Ｔの後側で前に向いて移動すると、可撓性のストッパ４３２Ａは、突起部Ｔにより後側の斜面部４３３Ａに向いて傾斜し、突起部Ｔを通過する。可撓性のストッパ４３２Ａは、突起部Ｔを通過した後、元の形に回復する。
【００２９】
また、図１２、図１３に示すように、コルク製のキャップ４５Ａが係止部４３Ａと共に注射針の基部２２Ａに対して正方向Ｉに継続して移動すると、注射針の基部２２Ａの台座部２２１Ａが、キャップ４５Ａに当接し、正方向Ｉに移動する。台座部２２１Ａの第二環状部２２５Ａがフック部２１４Ａに当接すると、フック部２１４Ａは、外側に拡げられ、ありつぎ溝２１７Ａに嵌合される。よって、フック部２１４Ａがシリンダ本体２１Ａの内壁と平行になり、注射針の基部２２Ａの台座部２２１Ａが負方向ＩＩに移動することができる。
【００３０】
図１４に示すように、プランジャ４Ａをシリンダ本体２１Ａから外すとき、可撓性のストッパ４３２Ａが突起部Ｔの前側から後側へ移動すると、可撓性のストッパ４３２Ａの変形が平面部４３４Ａのより抑制され、可撓性のストッパ４３２Ａの負方向ＩＩへの移動が突起部Ｔにより係止される。これにより逆止效果を得ることができ、係止部４３Ａと注射針の基部２２Ａとを一体にして変移させ、上述の実施形態と同じ効果を得ることができる。
【００３１】
注射針の基部２２Ａの台座部２２１Ａは、シリンダ本体２１Ａ内で環状部材２６Ａに当接し、フック部２１４Ａがシリンダ本体２１Ａの内壁に対して直立すると、シリンダ本体２１Ａ内で停止するため、プランジャ４Ａがシリンダ本体２１Ａ内に挿入される場合、注射針の基部２２Ａの台座部２２１Ａをシリンダ本体２１Ａ内に固定することができ、シール部材２２３Ａにより漏れを抑制することができる。
【００３２】
以上、本発明の実施形態について図面を参照して詳述したが、具体的な構成は上述実施形態に限られるものではなく、本発明の要旨を逸脱しない範囲において、種々の形態で実施することができる。
【符号の説明】
【００３３】
２・・・シリンダ、
２１・・・シリンダ本体、
２１１・・・シリンダ前端、
２１２・・・シリンダ後端、
２１３・・・位置決め座、
２１４・・・フック部、
２１５・・・凹部、
２２・・・注射針の基部、
２２１・・・台座部、
２２２・・・針側端部、
２３・・・フランジ部、
２４・・・フランジ部、
２５・・・フランジ部、
３・・・注射針、
４・・・プランジャ、
４１・・・推し出し端、
４２・・・プランジャ本体、
４２１・・・環状フランジ、
４２２・・・ピストン台座、
４３・・・係止部、
４４・・・頂端部、
５・・・逆止ユニット、
５１・・・頂端当接部、
５２・・・可撓性のストッパ、
６・・・逆止ユニット、
６１・・・頂端当接部、
６２・・・可撓性のストッパ、
７・・・逆止ユニット、
７１・・・頂端当接部、
７２・・・可撓性のストッパ、
８・・・ピストン板、
Ｉ・・・正方向（第一方向の一方）、
ＩＩ・・・負方向（第一方向の他方）、
５２Ａ・・・可撓性のストッパ、
５２１Ａ・・・凹部、
５２２Ａ・・・歯部、
５２Ｂ・・・可撓性のストッパ、
２Ａ・・・シリンダ、
２１Ａ・・・シリンダ本体、
２１１Ａ・・・シリンダ前端、
２１２Ａ・・・貫通孔、
２１４Ａ・・・フック部、
２１６Ａ・・・ありつぎ部、
２１７Ａ・・・ありつぎ溝、
２２Ａ・・・注射針の基部、
２２１Ａ・・・台座部、
２２２Ａ・・・針側端部、
２２３Ａ・・・シール部材、
２２４Ａ・・・第一環状部、
２２５Ａ・・・第二環状部、
２２６Ａ・・・環状溝、
２４Ａ・・・フランジ部、
２６Ａ・・・環状部材、
４Ａ・・・プランジャ、
４２Ａ・・・プランジャ本体、
４３Ａ・・・係止部、
４３１Ａ・・・環状溝、
４３２Ａ・・・可撓性のストッパ、
４３３Ａ・・・斜面部、
４３４Ａ・・・平面部、
４５Ａ・・・キャップ、
４５１Ａ・・・縁端、
Ｔ・・・突起部。
【図１】
2014000389.tif 000003
【図２】
2014000389.tif 000004
【図３】
2014000389.tif 000005
【図４】
2014000389.tif 000006
【図５】
2014000389.tif 000007
【図６】
2014000389.tif 000008
【図７】
2014000389.tif 000009
【図８】
2014000389.tif 000010
【図９】
2014000389.tif 000011
【図１０】
2014000389.tif 000012
【図１１】
2014000389.tif 000013
【図１２】
2014000389.tif 000014
【図１３】
2014000389.tif 000015
【図１４】
2014000389.tif 000016